【手続補正書】
【提出日】平成29年5月17日(2017.5.17)
【手続補正１】
【補正対象書類名】明細書
【補正対象項目名】発明の名称
【補正方法】変更
【補正の内容】
【発明の名称】電子楽器、パラメータ設定方法およびプログラム
【手続補正２】
【補正対象書類名】明細書
【補正対象項目名】０００１
【補正方法】変更
【補正の内容】
【０００１】
本発明は、鍵盤を備えた電子楽器、パラメータ設定方法およびプログラムに関する。
【手続補正３】
【補正対象書類名】明細書
【補正対象項目名】０００６
【補正方法】変更
【補正の内容】
【０００６】
本発明は、上述した事情に鑑みてなされたもので、入力桁数を考慮することなく入力したい数値をそのままテンキー入力することが出来、しかも間違えたテンキー操作をキャンセルすることが出来る電子楽器、パラメータ設定方法およびプログラムを提供することを目的としている。
【手続補正４】
【補正対象書類名】明細書
【補正対象項目名】０００７
【補正方法】変更
【補正の内容】
【０００７】
上記目的を達成するため、本発明の電子楽器は、複数の鍵を有する鍵盤と、指定されたパラメータ値データに従って楽音を発音させる発音制御手段と、複数桁夫々に数値データが格納可能なレジスタと、第１の操作が行われた後、前記鍵盤内のいずれかの鍵が押鍵される度に、前記押鍵された鍵に割り当てられている数値データを前記レジスタの複数桁の上位桁から順番に格納させる格納手段と、第２の操作に応答して、前記レジスタの複数桁夫々に格納された数値データの組み合わせに対応した数値を、前記発音制御手段が楽音を発声する際の前記パラメータ値データとして設定する設定手段と、を具備することを特徴とする。
【手続補正５】
【補正対象書類名】明細書
【補正対象項目名】０００８
【補正方法】変更
【補正の内容】
【０００８】
本発明のパラメータ設定方法は、電子楽器が、指定されたパラメータ値データに従って楽音を発音させ、第１の操作が行われた後、複数の鍵を有する鍵盤内のいずれかの鍵が押鍵される度に、前記押鍵された鍵に割り当てられている数値データを、複数桁夫々に数値データが格納可能なレジスタの複数桁の上位桁から順番に格納させ、第２の操作に応答して、前記レジスタの複数桁夫々に格納された数値データの組み合わせに対応した数値を、前記楽音を発声する際の前記パラメータ値データとして設定する、ことを特徴とする。
【手続補正６】
【補正対象書類名】明細書
【補正対象項目名】０００９
【補正方法】変更
【補正の内容】
【０００９】
本発明のプログラムは、コンピュータに、指定されたパラメータ値データに従って楽音を発音させるステップと、第１の操作が行われた後、複数の鍵を有する鍵盤内のいずれかの鍵が押鍵される度に、前記押鍵された鍵に割り当てられている数値データを、複数桁夫々に数値データが格納可能なレジスタの複数桁の上位桁から順番に格納させるステップと、第２の操作に応答して、前記レジスタの複数桁夫々に格納された数値データの組み合わせに対応した数値を、前記楽音を発声する際の前記パラメータ値データとして設定するステップと、を実行させることを特徴とする。
【手続補正７】
【補正対象書類名】特許請求の範囲
【補正対象項目名】全文
【補正方法】変更
【補正の内容】
【特許請求の範囲】
【請求項１】
複数の鍵を有する鍵盤と、
指定されたパラメータ値データに従って楽音を発音させる発音制御手段と、
複数桁夫々に数値データが格納可能なレジスタと、
第１の操作が行われた後、前記鍵盤内のいずれかの鍵が押鍵される度に、前記押鍵された鍵に割り当てられている数値データを前記レジスタの複数桁の上位桁から順番に格納させる格納手段と、
第２の操作に応答して、前記レジスタの複数桁夫々に格納された数値データの組み合わせに対応した数値を、前記発音制御手段が楽音を発声する際の前記パラメータ値データとして設定する設定手段と、
を具備する電子楽器。
【請求項２】
前記第１の操作が行われた後、前記鍵盤内のいずれかの鍵が押鍵される度に、前記レジスタの複数桁夫々に格納された数値データの組み合わせに対応した数値が、前記パラメータ値データとして設定可能な数値の範囲内か否かを判定する判定手段と、
前記判定手段により、前記パラメータ値データとして設定可能な数値の範囲内でないと判定された場合に、前記レジスタに格納された数値データの少なくとも一部を無効にする入力制御手段と、
を更に備えたことを特徴とする請求項１に記載の電子楽器。
【請求項３】
前記判定手段は、前記レジスタに対する１桁目の入力において、前記押鍵された鍵に割り当てられている数値データに対応した数値が「０」である場合には、前記パラメータ値データとして設定可能な数値の範囲内ではないと判定する、
ことを特徴とする請求項１または２に記載の電子楽器。
【請求項４】
前記発音制御手段は、指定された複数種のパラメータ夫々のパラメータ値データに従って楽音を発音させ、
前記第１の操作は、前記複数種のパラメータの中から設定対象となるパラメータを指定する操作であり、
前記設定手段は、前記レジスタの複数桁夫々に格納された数値データの組み合わせに対応した数値を、前記設定対象として指定されたパラメータの前記パラメータ値データとして設定し、
前記判定手段は、前記レジスタの複数桁夫々に格納された数値データの組み合わせに対応した数値が、前記設定対象として指定されたパラメータの前記パラメータ値データとして設定可能な数値の範囲内か否かを判定する、
ことを特徴とする請求項１乃至３のいずれかに記載の電子楽器。
【請求項５】
演奏モードとパラメータ入力モードのいずれかの動作モードを設定する設定手段を更に備え、
前記演奏モードにおいて、前記発音制御手段は、前記鍵盤内のいずれかの鍵の押鍵に応答し、前記押鍵された鍵に割り当てられている楽音を発音させ、
前記パラメータ入力モードにおいて、前記格納手段は、前記鍵盤内のいずれかの鍵が押鍵される度に、前記押鍵された鍵に割り当てられている数値データを前記レジスタの複数桁の上位桁から順番に格納させる、
ことを特徴とする請求項１乃至４のいずれかに記載の電子楽器。
【請求項６】
前記第１の操作は、所定のスイッチを押下操作して前記所定のスイッチをオン状態にする操作であり、
前記第２の操作は、前記所定のスイッチの押下操作を離して前記所定のスイッチをオフ状態にする操作である、
ことを特徴とする請求項１乃至５のいずれかに記載の電子楽器。
【請求項７】
前記レジスタは、前記第１の操作に応答して前記複数桁夫々に格納されている数値データがクリアされる、
ことを特徴とする請求項１乃至６のいずれかに記載の電子楽器。
【請求項８】
前記入力制御手段は、前記判定手段により、前記パラメータ値データとして設定可能な数値の範囲内でないと判定された場合に報知音を発生する、
ことを特徴とする請求項２に記載の電子楽器。
【請求項９】
前記入力制御手段は、前記格納手段により前記レジスタの対応する桁に数値データが格納される毎に第１の報知音を発生させ、前記判定手段により、前記パラメータ値データとして設定可能な数値の範囲内でないと判定された場合には、前記第１の報知音とは異なる第２の報知音を発生させる、
ことを特徴とする請求項８に記載の電子楽器。
【請求項１０】
前記設定手段は、前記複数種のパラメータ毎に、前記パラメータ値データとして設定可能な数値の上限値と下限値を判定する、
ことを特徴とする請求項４に記載の電子楽器。
【請求項１１】
前記レジスタの複数桁夫々に格納された数値データのうち、最も上位桁に格納された数値データをクリアするキャンセルスイッチを有する、
ことを特徴とする請求項１乃至１０のいずれかに記載の電子楽器。
【請求項１２】
前記発音制御手段は、指定されたパラメータ値データに従って、予め記憶された楽曲を再生する再生手段を含む、
ことを特徴とする請求項１乃至１１のいずれかに記載の電子楽器。
【請求項１３】
電子楽器が、
指定されたパラメータ値データに従って楽音を発音させ、
第１の操作が行われた後、複数の鍵を有する鍵盤内のいずれかの鍵が押鍵される度に、前記押鍵された鍵に割り当てられている数値データを、複数桁夫々に数値データが格納可能なレジスタの複数桁の上位桁から順番に格納させ、
第２の操作に応答して、前記レジスタの複数桁夫々に格納された数値データの組み合わせに対応した数値を、前記楽音を発声する際の前記パラメータ値データとして設定する、
パラメータ設定方法。
【請求項１４】
コンピュータに、
指定されたパラメータ値データに従って楽音を発音させるステップと、
第１の操作が行われた後、複数の鍵を有する鍵盤内のいずれかの鍵が押鍵される度に、前記押鍵された鍵に割り当てられている数値データを、複数桁夫々に数値データが格納可能なレジスタの複数桁の上位桁から順番に格納させるステップと、
第２の操作に応答して、前記レジスタの複数桁夫々に格納された数値データの組み合わせに対応した数値を、前記楽音を発声する際の前記パラメータ値データとして設定するステップと、
を実行させるプログラム。